(57)【特許請求の範囲】
【請求項１】
液状組成物を蒸発させてその有効成分を室内空気中に浮遊させる空気調整機器において、
液状組成物を充填するための薬用容器と、前記液状組成物を加熱するためのヒータと、蒸発した前記液状組成物の有効成分を室内空気中に送出するためのファンと、を内装した本体と、
前記本体が載置される載置部を上面に有し、外部電源から電力を供給するための電源コードが導出されたプレート状の基台と、を備え、
前記基台の載置部は、凸曲面形状に形成され、かつ、前記載置部に形成された凹溝の底部に、前記外部電源からの電力を本体に給電するための給電用電極を備え、
前記本体は、外形が玉子又は球形状で、重心が下方部位となるよう構成され、底部が前記凸曲面形状に対応する凹曲面形状に形成されており、本体が基台上に載置された状態で、前記ヒータ及び前記ファン用の電力を前記給電用電極に接触して受電するための受電用電極が前記凹曲面から突出して設けられ、
前記本体と基台とには、本体が基台上に載置された状態で、互いに磁気的に結合される磁性体が設けられていることを特徴とする空気調整機器。
【請求項２】
前記受電用電極は、リング形状電極とその中心付近に位置する電極とから成り、前記給電用電極は、前記受電用電極に対応した形状の電極から成ることを特徴とする請求項１に記載の空気調整機器。
【請求項３】
前記外部電源から供給される電源電圧を降圧し、降圧した電圧を前記給電用電極に供給する降圧部を前記基台に備えたことを特徴とする請求項１に記載の空気調整機器。
【請求項４】
有効成分として食欲抑制剤を含有する液状組成物が前記薬用容器に充填されたことを特徴とする請求項１乃至請求項３のいずれか一項に記載の空気調整機器。
【発明の詳細な説明】
【技術分野】
【０００１】
本発明は、液状組成物を蒸発させてその有効成分を室内空気中に浮遊させる空気調整機
器に関する。
【背景技術】
【０００２】
従来から、液状組成物を蒸発させてその有効成分を室内空気中に浮遊させる空気調整機器として芳香器が知られている。この種の機器において、機器が転倒したときに液状組成物が外部に漏出しないようにしたものが知られている（例えば、特許文献１参照）。
【０００３】
ところが、このような転倒対策を施した機器であっても、徐々に液状組成物が漏出することがある。特に、ユーザが就寝時に使用するに適した機器、例えば、有効成分として食欲抑制剤を含有した液状組成物を蒸発させる空気調整機器にあっては、可能な限り就寝者の枕元等に機器を置くことが効果的であるが、その場合、ユーザは睡眠中に身体を動かして、無意識に機器を引っ繰り返し易いという問題があった。また、機器は、その重心を低くして転倒し難いように設計されるが、機器に電源コードが接続されると、この電源コードの剛性が機器の動きを制約して、機器の転倒抑制が正常に機能しなくなる。そこで、電源コードとして細くて柔軟性の高いものを用いるが、ヒータ等を持つ機器の場合、電流容量等の関係から、電源コードの柔軟性向上にも限界がある。
【０００４】
電源コードに関しては、電気ポットなどの機器において、電源コードが引っ張られた際に機器から電源コードが外れる、いわゆるマグネットプラグが知られている（例えば、特許文献２参照）。
【０００５】
しかし、マグネットプラグをこの種の空気調整機器に適用した場合、電源コードが引っ張られるとマグネットプラグが外れ、電源コードの引っ張りによって傾斜した機器は、機器の転倒抑制が機能して正常な姿勢に復帰するが、復帰後もマグネットプラグが外れたままで、通電が回復しないという問題がある。
【０００６】
また、機器の転倒そのものを防ぐために、機器の底面を大きくすると、人の手にとって機器を取り扱い易い大きさと形状にすることが難しくなり、特に、液状組成物が充填された薬用容器の交換時に取り扱いが不便になるという問題がある。
【特許文献１】特開２００１−１４９４５８号公報
【特許文献２】特開平５−５４９３２号公報
【発明の開示】
【発明が解決しようとする課題】
【０００７】
本発明は、このような問題を解決するためになされたものであり、ユーザの枕元等に機器を置いた場合に身体が当たっても機器が転倒しないようにし、取り扱いが容易で、液状組成物が漏出しないようにした空気調整機器を提供することを目的とする。
【課題を解決するための手段】
【０００８】
上記目的を達成するために請求項１に記載の発明は、液状組成物を蒸発させてその有効成分を室内空気中に浮遊させる空気調整機器において、液状組成物を充填するための薬用容器と、前記液状組成物を加熱するためのヒータと、蒸発した前記液状組成物の有効成分を室内空気中に送出するためのファンと、を内装した本体と、前記本体が載置される載置部を上面に有し、外部電源から電力を供給するための電源コードが導出されたプレート状の基台と、を備え、前記基台の載置部は、凸曲面形状に形成され、かつ、前記載置部に形成された凹溝の底部に、前記外部電源からの電力を本体に給電するための給電用電極を備え、前記本体は、外形が玉子又は球形状で、重心が下方部位となるよう構成され、底部が前記凸曲面形状に対応する凹曲面形状に形成されており、本体が基台上に載置された状態で、前記ヒータ及び前記ファン用の電力を前記給電用電極に接触して受電するための受電用電極が前記凹曲面から突出して設けられ、前記本体と基台とには、本体が基台上に載置された状態で、互いに磁気的に結合される磁性体が設けられているものである。
【０００９】
請求項２に記載の発明は、請求項１に記載の空気調整機器において、前記受電用電極は、リング形状電極とその中心付近に位置する電極とから成り、前記給電用電極は、前記受電用電極に対応した形状の電極から成るものである。
【００１０】
請求項３に記載の発明は、請求項１に記載の空気調整機器において、前記外部電源から供給される電源電圧を降圧し、降圧した電圧を前記給電用電極に供給する降圧部を前記基台に備えたものである。
【００１１】
請求項４に記載の発明は、請求項１乃至請求項３のいずれか一項に記載の空気調整機器において、有効成分として食欲抑制剤を含有する液状組成物が前記薬用容器に充填されたものである。
【発明の効果】
【００１２】
請求項１に記載の発明によれば、空気調整機器の本体がプレート状の基台に載置されているので、本体を取り扱いが容易な大きさと形状にしつつ、空気調整機器全体として転倒しない大きさと形状にすることができ、本体が基台に磁性体の磁気的な結合による吸引力で保持されるので、空気調整機器の転倒を防止することができる。本体に過大な力が加わった場合には、本体が力の方向に傾斜し、空気調整機器の損傷を防止することができる。本体が傾斜すると、本体の受電用電極が基台の給電用電極から離れ、空気調整機器のヒータ等の負荷への電流が瞬時に遮断されるので、電気的な安全が確保できる。本体は、外形が玉子又は球形状で、かつ重心が下方部位になるよう構成されているので、重力によって自動的に正常な姿勢に復帰することができる。また、本体に電源コードがないので、本体の姿勢の復帰が電源コードの剛性で阻害されることを防止することができる。したがって、機器使用時に機器にユーザの身体が当たっても、機器の転倒が抑制され、液状組成物が漏出することがなくなる。また、凸曲面形状の載置部に凹曲面形状の本体の底部が合わさるので、本体が傾斜から復帰する際の載置位置のずれが防止され、本体の受電用電極が基台の給電用電極と接触して通電を自動的に回復することができる。また、ユーザが本体を基台の載置部から離すと、給電用電極と受電用電極が離れ、本体全体が電気的に無加圧の状態になるので、例えば、本体を持ち上げて本体内部の薬用容器を交換する際には、本体のファンやヒータが自動的にオフとなり、取り扱いがさらに容易となる。
【００１３】
請求項２の発明によれば、基台の向きに対して本体の向きが回転しても受電用電極と給電用電極の接触を確保することができる。そのため、ユーザーは、基台の向きをそのままにしつつ、本体を基台に載置する際の空気吐出口の水平方向の向きを自由に設定することができる。
【００１４】
請求項３に記載の発明によれば、もし、ユーザが基台の給電用電極に接触しても、給電用電極に供給される電圧が降圧されているので、さらに安全である。
【００１５】
請求項４に記載の発明によれば、有効成分として食欲抑制剤を含有している液状組成物を蒸発させる空気調整機器は、ユーザの枕元等に機器が置かれて使用されても問題がなく、有効成分をユーザに効率的に与えることができ、食欲抑制効果を高めることができる。
【発明を実施するための最良の形態】
【００１６】
以下、本発明の一実施形態に係る空気調整機器について図面を参照して説明する。図１において、空気調整機器１は、液状組成物を蒸発させてその有効成分を室内空気中に浮遊させるものであり、プレート状の基台１０に玉子形状又は球形状の本体２０が載置される。液状組成物の有効成分は、本体２０の空気吐出口２２ａから吐出される。液状組成物の残量は、本体に形成された長孔状の窓２３ａから視認することができる。
【００１７】
基台１０を図２を参照して説明する。プレート状の基台１０の上面には凸曲面形状の載置部１１が形成されている。凸曲面形状は、基台１０に垂直な対称軸に対して回転対称な形状であり、例えば、球、楕円体、放物面体の一部である。載置部１１には、１対の給電用電極１４を表面に具備し、凸曲面形状の対称軸上に一方の電極１４ａが配置され、他方、その周囲に離間してリング形状の電極１４ｂが配置される。給電用電極１４は、載置部１１に形成された凹溝の底部に配置される。これによって、ユーザが給電用電極に接触することが防止される。基台１０には、磁性体１３が配置される。磁性体１３は、例えば、永久磁石であり、２個の永久磁石の一方の永久磁石１３ＮをＮ極を上にして、他方の永久磁石１３ＳをＳ極を上にして配置される。磁性体１３は載置部１１の表面に露出するよう配置しても、載置部１１の内部に配置してもよい。基台１０から電源コード１２が導出され、電源コード１２の端部のプラグ１２１により外部電源のコンセントに接続される。電源コード１２は、給電用電極１４に電気的に接続される。基台１０に降圧部１５を設け、降圧した電圧を給電用電極１４に出力することが好ましい。降圧部１５は、例えば、変圧器、スイッチングレギュレータなどとすることができる。また、降圧部１５は、基台１０の内部に配置するのが好ましい。降圧部１５の重量が、空気調整機器１の転倒防止に寄与するからである。なお、基台１０の平面形状は、正方形に限定されるものではなく、円、楕円などとしてもよい。
【００１８】
本体２０を図３を参照して説明する。本体２０は、基台１０の載置部１１に載置される。本体２０は、玉子形状又は球形状の外装ケース２１を備え、転倒防止のため、重心が低い位置となるよう構成される。外装ケース２１は、互いに嵌合係止される樹脂の上蓋体２２と下部体２３とからなる。下部体２３の内面は、椀形状とされ、その椀形状内に、薬用容器２４が交換自在に装填される。薬用容器２４は、透明又は半透明材質から成り、内部に液状組成物が充填されている。下部体２３には、薬用容器２４内の液状組成物の残量を外部から視認するための長孔状の窓２３ａが形成されている。上蓋体２２の内部には、液状組成物を加熱するヒータ２５と、蒸発した液状組成物の有効成分を室内空気中に送出するファン２６が設けられている。空気吸入口２２ｂから吸入された空気は、有効成分とともに、ファン２６によって、空気吐出口２２ａから吐出される。薬用容器２４は、下部体２３の椀形状に対応した形状とされ、下部体２３にビルトインされている。この薬用容器２４は、上面に開口を有し、この開口には、液状組成物を毛細管現象により蒸発させるための芯２７が設けられている。ヒータ２５は、芯２７が導出される薬用容器２４の開口付近に臨むように上蓋体２２に配設され、液状組成物を５０乃至６０℃程度に加熱できるものでよい。ファン２６は、モータ駆動式であり、適宜の固定部材で上蓋体２２に固定される。なお、重心のバランスをとるため、芯２７を挟んでファン２６反対側にモータ及びヒータ２５用の制御回路が配置されればよい。下部体２３の底部３０は、載置部１１の凸曲面形状と対応した凹曲面形状に形成され、内面に本体の磁性体３１が、表面に１対の受電用電極３２が突出して配置されている。受電用電極３２は、底部３０の中心に配置された電極３２ａとその周囲に離間して配置されたリング形状の電極３２ｂから構成されている。受電用電極３２は、ヒータ２５及びファン２６に電気的に接続されている。本体の磁性体は、リング形状の鉄又は鉄合金製であり、本体２０の重心を下げることにも寄与している。
【００１９】
本体２０が基台１０に載置された状態を図４を参照して説明する。載置部１１と本体底部３０は対応する曲面形状となっており、本体底部３０が載置部１１に合わさる状態で、本体２０が基台１０に載置される。その状態において、給電用電極１４ａが受電用電極３２ａと、給電用電極１４ｂが受電用電極３２ｂとそれぞれ接触し、基台１０から本体２０に給電される。基台の磁性体１３Ｎおよび１３Ｓが本体の磁性体３１と磁気的に結合し、吸引力で本体２０が基台１０に保持される。
【００２０】
上記のように構成された空気調整機器１は、使用時に床面上に設置され、ヒータ２５に通電すると共に、ファン２６をモータ駆動する。これにより、薬用容器２４内の液状組成物が蒸発し、蒸発した液状組成物の有効成分がファン２６により上蓋体２２の空気吐出口２２ａを通して機器外部に吐出される。そして、本体２０にユーザの身体等が当たるなどの外力によって、本体２０が２０’のように傾いても、本体２０の外形と低い重心によって、本体２０は正常な姿勢に復帰し、機器が転倒することは防止される。このため、液状組成物が漏出することがない。
【００２１】
また、蒸発させる液状組成物の有効成分として食欲抑制剤を含有しているものである場合、機器１がユーザの枕元等に置かれて使用されても転倒しないので、ユーザの睡眠中に、蒸発した液状組成物の有効成分を効率的に吸気させることができ、もって、食欲抑制効果を高めることができる。このような液状組成物は、例えば、特許第３８３９８３２号に示されるようなものを用いればよい。
【００２２】
なお、本発明は、上記実施形態の構成に限られることなく、発明の要旨を変更しない範囲で種々の変形が可能である。例えば、図５に示すように、リング形状でない給電用電極１６ｂをリング形状の受電用電極３２ｂの位置に対応して配置することによって、本体２０向きが回転した場合にも給電可能な構成としてもよい。また、図６に示すように、上記実施形態とは逆に、本体の磁性体を永久磁石３４Ｎ、３４Ｓ、基台の磁性体を鉄又は鉄合金製のリング形状の磁性体１７としてもよい。また、液状組成物の有効成分として、芳香剤や害虫忌避剤を用いてもよい。
【図面の簡単な説明】
【００２３】
【図１】本発明の一実施形態に係る空気調整機器の斜視図。
【図２】（ａ）は空気調整機器の基台の断面図、（ｂ）は同基台の平面図。
【図３】（ａ）は空気調整機器の本体の断面図、（ｂ）は同本体の底面図。
【図４】基台に本体が載置された状態を説明する断面図。
【図５】（ａ）は本発明の一変形例に係る基台の断面図、（ｂ）は同基台の平面図。
【図６】（ａ）は本発明の別の一変形例に係る本体の底面図、（ｂ）は同基台の平面図。
【符号の説明】
【００２４】
１  空気調整機器
１０  基台
１１  載置部
１２  電源コード
１３  基台の磁性体
１４  給電用電極
１５  降圧部
２０  本体
２４  薬用容器
２５  ヒータ
２６  ファン
３０  本体の底部
３１  本体の磁性体
３２  受電用電極
３２ａ  受電用電極
３２ｂ  リング形状の受電用電極
【図１】
0004532530.tif 000002
【図２】
0004532530.tif 000003
【図３】
0004532530.tif 000004
【図４】
0004532530.tif 000005
【図５】
0004532530.tif 000006
【図６】
0004532530.tif 000007